(57)【要約】【課題】複数の読取手段のうち、いずれの読取手段が読取処理をしたかを判別すること。【解決手段】本発明にかかる情報端末装置は、所定の情報が記録された情報媒体に対して読取処理を行なう複数の読取手段としてＲＦＩＤ処理部と光学情報読取部を備える。また、表示部は、各読取手段の読取処理の完了をＲＦＩＤ処理部に対応した第１の表示処理または光学情報読取部に対応した第２の表示処理によって表示する。このため、ＲＦＩＤ処理部または光学情報読取部のいずれがＲＦＩＤタグまたは光学情報記録媒体の情報を読み取ったかを正確に判別することが可能となる。【選択図】      図２
2005215748.tif 000002
【特許請求の範囲】
【請求項１】
所定の情報が記録された情報媒体に対して読取処理を行なう複数の読取手段を備えた情報端末装置において、
各読取手段の読取処理の完了を各読取手段に対応した表示処理によって表示出力する表示手段と、
前記表示手段に対して各読取手段に対応した表示処理を行なわせる表示処理手段と、
を備えたことを特徴とする情報端末装置。
【請求項２】
前記表示処理手段は、前記表示手段に対して、各読取手段に対応した点灯表示または点滅表示を行なわせることを特徴とする請求項１に記載の情報端末装置。
【請求項３】
前記表示処理手段は、前記表示手段に対して、各読取手段に対応した異なる点灯表示を行なわせることを特徴とする請求項１または２に記載の情報端末装置。
【請求項４】
前記表示処理手段は、前記表示手段に対して、各読取手段に対応した表示色を用いて表示させることを特徴とする請求項１〜３のいずれか一つに記載の情報端末装置。
【請求項５】
前記表示処理手段は、前記表示手段に対して、各読取手段を識別する識別情報を表示させることを特徴とする請求項１〜４のいずれか一つに記載の情報端末装置。
【請求項６】
前記表示処理手段は、前記表示手段に対して、各読取手段を識別する識別情報をそれぞれ表示させ、読取処理を行った前記読取手段の前記識別情報を点滅表示させることを特徴とする請求項１〜４のいずれか一つに記載の情報端末装置。
【請求項７】
前記表示処理手段は、前記表示手段に対して、各読取手段が読取処理を行なった前記情報媒体の外観を識別する外観情報を表示させることを特徴とする請求項１〜６のいずれか一つに記載の情報端末装置。
【請求項８】
前記表示手段は、発光ダイオードおよび／または画像表示装置であることを特徴とする請求項１〜７のいずれか一つに記載の情報端末装置。
【請求項９】
前記複数の読取手段は、
所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、
前記第１の情報媒体と異なる種別である第２の前記情報媒体に対して光学的な読取処理を行なう光学情報読取手段と、
を備えたことを特徴とする請求項１〜８のいずれか一つに記載の情報端末装置。
【請求項１０】
前記複数の読取手段は、
所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、
前記第１のアンテナの送受信電波の周波数と異なる周波数の電波を送受信する第２のアンテナを有し、前記第２のアンテナからの送信電波に応じる第２の前記情報媒体との間で無線通信を行なって該第２の情報媒体に対して読取処理を行なう第２の読取手段と、
を備えたことを特徴とする請求項１〜８のいずれか一つに記載の情報端末装置。
【請求項１１】
読取処理の指示情報を入力する入力手段と、
前記入力手段から入力された指示情報をもとに、読取処理を行なう前記読取手段を検出し、該読取手段および／または前記表示処理手段の処理制御を行なう制御部と、
を備えたことを特徴とする請求項１〜１０のいずれか一つに記載の情報端末装置。
【請求項１２】
前記第１の読取手段および／または前記第２の読取手段は、読取処理とともに、前記第１の情報媒体および／または前記第２の読取媒体に対して情報を書き込む書込処理を行ない、
前記表示手段は、各読取手段の書込処理の完了を各読取手段に対応した表示処理によって表示出力することを特徴とする請求項９〜１１のいずれか一つに記載の情報端末装置。
【請求項１３】
所定の情報が記録された情報媒体に対して読取処理を行なう複数の読取手段を備えた情報端末装置において、
各読取手段の読取処理の完了を各読取手段に対応した音声処理によって音声を出力する音声出力手段と、
前記音声出力手段に対して各読取手段に対応した音声処理を行なわせる音声処理手段と、
を備えたことを特徴とする情報端末装置。
【請求項１４】
前記音声処理手段は、前記音声出力手段に対して、各読取手段に対応した音声出力時間の間、音声を出力させることを特徴とする請求項１３に記載の情報端末装置。
【請求項１５】
前記音声処理手段は、前記音声出力手段に対して、各読取手段に対応した周波数または周波数変化の音声を出力させることを特徴とする請求項１３または１４に記載の情報端末装置。
【請求項１６】
前記複数の読取手段は、
所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、
前記第１の情報媒体と異なる種別である第２の前記情報媒体に対して光学的な読取処理を行なう光学情報読取手段と、
を備えたことを特徴とする請求項１３〜１５のいずれか一つに記載の情報端末装置。
【請求項１７】
前記複数の読取手段は、
所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、
前記第１のアンテナの送受信電波の周波数と異なる周波数の電波を送受信する第２のアンテナを有し、前記第２のアンテナからの送信電波に応じる第２の前記情報媒体との間で無線通信を行なって該第２の情報媒体に対して読取処理を行なう第２の読取手段と、
を備えたことを特徴とする請求項１３〜１５のいずれか一つに記載の情報端末装置。
【請求項１８】
読取処理の指示情報を入力する入力手段と、
前記入力手段から入力された指示情報をもとに、読取処理を行なう前記読取手段を検出し、該読取手段および／または前記音声処理手段の処理制御を行なう制御部と、
を備えたことを特徴とする請求項１３〜１７のいずれか一つに記載の情報端末装置。
【請求項１９】
前記第１の読取手段および／または前記第２の読取手段は、読取処理とともに、前記第１の情報媒体および／または前記第２の読取媒体に対して情報を書き込む書込処理を行ない、
前記音声出力手段は、各読取手段の書込処理の完了を各読取手段に対応した音声処理によって音声を出力することを特徴とする請求項１６〜１８のいずれか一つに記載の情報端末装置。
【発明の詳細な説明】
【技術分野】
【０００１】
この発明は、所定の情報が記録された情報媒体に対して読取処理を行なう複数の読取手段を備えた情報端末装置に関する。
【背景技術】
【０００２】
従来から、無線通信システムの１つとして、ＲＦＩＤ（Radio Frequency Identification）システムが開発されており、入退室管理、商品管理等に利用されている。ＲＦＩＤシステムでは、識別情報等を記憶するＲＦＩＤタグを管理対象に取り付け、専用の情報端末装置がＲＦＩＤタグに対して所定周波数の電波を用いて情報読取処理、情報書込み処理を行なうことによって管理対象を管理している。
【０００３】
近年、ＲＦＩＤタグを読み取る情報端末装置として、ＲＦＩＤタグを読み取るＲＦＩＤ処理部のほかに、他の情報媒体を読み取る機能をさらに備えた情報端末装置が提案されている。このような情報端末装置として、たとえば、符号化された各種の情報を表示した光学情報記録媒体の情報を読み取る光学情報読取部をさらに備えた情報端末装置が開発されている（特許文献１参照）。光学情報読取部は、光学情報記録媒体に対して撮像処理を行い、得られた画像情報を解読することによって光学情報記録媒体の記録内容を読み取る。ＲＦＩＤ処理部と光学情報読取部とを備えた情報端末装置は、操作者の入力指示にしたがってＲＦＩＤ処理部と光学情報読取部とを同時に起動させることによって、ＲＦＩＤタグまたは光学情報記録媒体に対する読取処理を実現する。
【０００４】
【特許文献１】特開２００１−２２９３３７号公報
【発明の開示】
【発明が解決しようとする課題】
【０００５】
しかしながら、従来の情報端末装置では、ＲＦＩＤ処理部と光学情報読取部とが同時に起動するため、ＲＦＩＤタグと光学情報記録媒体とが近接していた場合、ＲＦＩＤタグと光学情報記録媒体とのいずれの情報を読み取ったかを正確に判別することができず、円滑に管理対象を管理することができないという問題があった。特に、光学情報読取部の撮像方向とＲＦＩＤ処理部の電波送信方向とが同方向である場合、読取対象に対する情報端末装置の指向性の相違をもとに読み取った対象を判別することができず、ＲＦＩＤタグと光学情報記録媒体とのいずれの情報を読み取ったかを判別することは困難であった。
【０００６】
この発明は、上記した従来技術の欠点に鑑みてなされたものであり、複数の読取手段を備えた情報端末装置において、複数の情報媒体が近接する場合であっても、いずれの情報媒体の情報を読み取ったかを操作者が正確に判別できる情報端末装置を提供することを目的とする。
【課題を解決するための手段】
【０００７】
請求項１にかかる情報端末装置は、所定の情報が記録された情報媒体に対して読取処理を行なう複数の読取手段を備えた情報端末装置において、各読取手段の読取処理の完了を各読取手段に対応した表示処理によって表示出力する表示手段と、前記表示手段に対して各読取手段に対応した表示処理を行なわせる表示処理手段と、を備えたことを特徴とする。
【０００８】
本発明にかかる情報端末装置によれば、各読取手段の読取手段の完了を各読取手段に対応する表示処理によって表示出力する表示手段を備えることによって、異なる種別の情報媒体が近接していた場合であっても、いずれの読取手段が読取処理を完了したかを認識することができる。
【０００９】
請求項２にかかる情報端末装置は、前記表示処理手段は、前記表示手段に対して、各読取手段に対応した点灯表示または点滅表示を行なわせることを特徴とする。
【００１０】
請求項３にかかる情報端末装置は、前記表示処理手段は、前記表示手段に対して、各読取手段に対応した異なる点灯表示を行なわせることを特徴とする。
【００１１】
請求項４にかかる情報端末装置は、前記表示処理手段は、前記表示手段に対して、各読取手段に対応した表示色を用いて表示させることを特徴とする。
【００１２】
請求項５にかかる情報端末装置は、前記表示処理手段は、前記表示手段に対して、各読取手段を識別する識別情報を表示させることを特徴とする。
【００１３】
請求項６にかかる情報端末装置は、前記表示処理手段は、前記表示手段に対して、各読取手段を識別する識別情報をそれぞれ表示させ、読取処理を行った前記読取手段の前記識別情報を点滅表示させることを特徴とする。
【００１４】
請求項７にかかる情報端末装置は、前記表示処理手段は、前記表示手段に対して、各読取手段が読取処理を行なった前記情報媒体の外観を識別する外観情報を表示させることを特徴とする。
【００１５】
請求項８にかかる情報端末装置は、前記表示手段は、発光ダイオードおよび／または画像表示装置であることを特徴とする。
【００１６】
請求項９にかかる情報端末装置は、前記複数の読取手段は、所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、前記第１の情報媒体と異なる種別である第２の前記情報媒体に対して光学的な読取処理を行なう光学情報読取手段と、を備えたことを特徴とする。
【００１７】
請求項１０にかかる情報端末装置は、前記複数の読取手段は、所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、前記第１のアンテナの送受信電波の周波数と異なる周波数の電波を送受信する第２のアンテナを有し、前記第２のアンテナからの送信電波に応じる第２の前記情報媒体との間で無線通信を行なって該第２の情報媒体に対して読取処理を行なう第２の読取手段と、を備えたことを特徴とする。
【００１８】
請求項１１にかかる情報端末装置は、読取処理の指示情報を入力する入力手段と、前記入力手段から入力された指示情報をもとに、読取処理を行なう前記読取手段を検出し、該読取手段および／または前記表示処理手段の処理制御を行なう制御部と、を備えたことを特徴とする。
【００１９】
請求項１２にかかる情報端末装置は、前記第１の読取手段および／または前記第２の読取手段は、読取処理とともに、前記第１の情報媒体および／または前記第２の読取媒体に対して情報を書き込む書込処理を行ない、前記表示手段は、各読取手段の書込処理の完了を各読取手段に対応した表示処理によって表示出力することを特徴とする。
【００２０】
請求項１３にかかる情報端末装置は、所定の情報が記録された情報媒体に対して読取処理を行なう複数の読取手段を備えた情報端末装置において、各読取手段の読取処理の完了を各読取手段に対応した音声処理によって音声を出力する音声出力手段と、前記音声出力手段に対して各読取手段に対応した音声処理を行なわせる音声処理手段と、を備えたことを特徴とする。
【００２１】
本発明にかかる情報端末装置によれば、各読取手段の読取手段の完了を各読取手段に対応する音声処理によって音声を出力する音声出力手段を備えることによって、異なる種別の情報媒体が近接していた場合であっても、いずれの読取手段が読取処理を完了したかを認識することができる。
【００２２】
請求項１４にかかる情報端末装置は、前記音声処理手段は、前記音声出力手段に対して、各読取手段に対応した音声出力時間の間、音声を出力させることを特徴とする。
【００２３】
請求項１５にかかる情報端末装置は、前記音声処理手段は、前記音声出力手段に対して、各読取手段に対応した周波数または周波数変化の音声を出力させることを特徴とする。
【００２４】
請求項１６にかかる情報端末装置は、前記複数の読取手段は、所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、前記第１の情報媒体と異なる種別である第２の前記情報媒体に対して光学的な読取処理を行なう光学情報読取手段と、を備えたことを特徴とする。
【００２５】
請求項１７にかかる情報端末装置は、前記複数の読取手段は、所定周波数の電波を送受信する第１のアンテナを有し、前記第１のアンテナからの送信電波に応じる第１の前記情報媒体との間で無線通信を行なって該第１の情報媒体に対して読取処理を行なう第１の読取手段と、前記第１のアンテナの送受信電波の周波数と異なる周波数の電波を送受信する第２のアンテナを有し、前記第２のアンテナからの送信電波に応じる第２の前記情報媒体との間で無線通信を行なって該第２の情報媒体に対して読取処理を行なう第２の読取手段と、を備えたことを特徴とする。
【００２６】
請求項１８にかかる情報端末装置は、読取処理の指示情報を入力する入力手段と、前記入力手段から入力された指示情報をもとに、読取処理を行なう前記読取手段を検出し、該読取手段および／または前記音声処理手段の処理制御を行なう制御部と、を備えたことを特徴とする。
【００２７】
請求項１９にかかる情報端末装置は、前記第１の読取手段および／または前記第２の読取手段は、読取処理とともに、前記第１の情報媒体および／または前記第２の読取媒体に対して情報を書き込む書込処理を行ない、前記音声出力手段は、各読取手段の書込処理の完了を各読取手段に対応した音声処理によって音声を出力することを特徴とする。
【発明の効果】
【００２８】
本発明にかかる情報端末装置によれば、各読取手段の読取処理の完了を各読取手段に対応した表示処理によって表示出力する表示手段を備えることによって、いずれの読取手段が読取処理を完了したかを認識することができる。また、本発明にかかる情報端末装置によれば、各読取手段の読取処理の完了を各読取手段に対応した音声処理によって音声を出力する音声出力手段を備えることによって、いずれの読取手段が読取処理を完了したかを認識することができる。このため、本発明にかかる情報端末装置によれば、異なる種別の情報媒体が近接する場合であっても、操作者は、情報端末装置がいずれの情報媒体の情報を読み取ったかを正確に判別することができ、管理対象を円滑に管理することが可能となる。
【発明を実施するための最良の形態】
【００２９】
以下、図面を参照して、この発明の実施の形態である情報端末装置について説明する。なお、この実施の形態によりこの発明が限定されるものではない。また、図面の記載において、同一部分には同一の符号を付している。
【００３０】
（実施の形態１）
まず、実施の形態１にかかる情報端末装置について、所定の識別情報等を記憶するＲＦＩＤタグまたはＲＦＩＤカードを読み取るＲＦＩＤ処理部と、符号化された各種の情報を表示する光学情報記録媒体を読み取る光学情報読取部とを読取手段として備えた情報端末装置を例として説明する。本実施の形態１にかかる情報端末装置は、ＲＦＩＤ処理部と光学情報読取部とのそれぞれに対応した異なる表示処理によって読取処理の完了を示す表示部を備える。図１は、本実施の形態１にかかる情報端末装置の概略構成を示すブロック図である。
【００３１】
図１において、本実施の形態１にかかる情報端末装置１は、入力部２と、外部通信部３と、ストレージデバイス４と、無線通信用のアンテナ５ａと、ＲＦＩＤ処理部５と、光学情報読取部６と、表示部７と、音声入出力部８と、制御部９と、記憶部１０とを有する。入力部２、外部通信部３、ストレージデバイス４、ＲＦＩＤ処理部５、光学情報読取部６、表示部７、音声入出力部８、および記憶部１０は、制御部９に電気的に接続され、アンテナ５ａは、ＲＦＩＤ処理部５に電気的に接続される。また、制御部９は、入力部２、外部通信部３、ストレージデバイス４、ＲＦＩＤ処理部５、光学情報読取部６、表示部７、音声入出力部８、および記憶部１０を制御する。
【００３２】
入力部２は、読取対象であるＲＦＩＤタグまたはＲＦＩＤカードに記憶された情報を読み取る処理（情報読取処理）と外部の光学情報記録媒体の情報を読み取る処理（光学情報読取処理）とを指示する指示情報（読取指示情報）、ＲＦＩＤタグまたはＲＦＩＤカードに書き込む情報（書込情報）と該ＲＦＩＤタグまたはＲＦＩＤカードに該書込情報を書き込む処理（情報書込処理）を指示する指示情報とを含む書込指示情報を入力する複数の入力キー等を有する。入力部２は、読取指示情報または書込指示情報の入力を受け付けるとともに、受け付けた各指示情報を制御部９に送出する。
【００３３】
外部通信部３は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、外部のホストコンピュータ（図示せず）等に対する情報通信を行う。
【００３４】
ストレージデバイス４は、操作者がストレージデバイス４に着脱自在に挿入したスマートメディア、メモリスティック、マルチメディアカード、またはＳＤメモリカード等のメディア４ａに対し、制御部９の制御のもと、制御部９から入力された情報を記録するように機能する。また、ストレージデバイス４は、制御部９の制御のもと、このメディア４ａに記憶された情報を読み取るように機能する。
【００３５】
アンテナ５ａは、ＲＦＩＤ処理部５の制御のもと、所定の交信領域内に存在するＲＦＩＤタグまたはＲＦＩＤカードとの間において、所定周波数の電波を送受信するように機能する。この場合、アンテナ５ａは、ＲＦＩＤ処理部５から入力された電気信号に対応する所定周波数の電波を送信し、または、ＲＦＩＤタグまたはＲＦＩＤカードから送信された所定の電波を受信するとともに、この受信した所定の電波に対応する電気信号をＲＦＩＤ処理部５に送出する。
【００３６】
ＲＦＩＤ処理部５は、制御部９の制御のもと、アンテナ５ａに電気信号を送出してアンテナ５ａから所定の周波数の電波を送信させるよう機能する。この場合、ＲＦＩＤ処理部５は、アンテナ５ａに送出する電気信号を制御しアンテナ５ａから所定の周波数の電波を送信させて、この送信電波に応じるＲＦＩＤタグまたはＲＦＩＤカードに対して非接触による情報読取処理または情報書込処理を行なう。また、ＲＦＩＤ処理部５は、アンテナ５ａとＲＦＩＤタグまたはＲＦＩＤカードとの間で送受信される所定の電波を介した無線通信を行なって、該ＲＦＩＤタグまたはＲＦＩＤカードに対する情報読取処理または情報書込処理を行なうように機能する。
【００３７】
光学情報読取部６は、制御部９が入力部２から光学情報読取部６に対する読取指示情報を受信した場合、制御部９の制御のもと、光学情報記録媒体に対して光学情報読取処理を行う。光学情報読取部６は、光学情報記録媒体を撮像処理し、撮像処理によって得られた画像情報を解読して、光学情報記録媒体の情報を読み取り、読み取った情報を制御部９に送出して、光学情報読取処理を達成する。光学情報読取部６は、ＣＣＤ（Charge Coupled Diode）、ＣＭＯＳ（Complementary Metal Oxide Semiconductor）等を用いて実現され、結像した入力光を電気信号に変換する光電変換部と、光電変換部からの入射光を結像させる光学系とを備えた構成を有する。なお、光学情報読取部６は、光学情報記録媒体に対して赤外光または可視光を投光する半導体レーザ素子または発光ダイオード等の光源と、この光学情報記録媒体からの反射光を受光するフォトセンサ等の受光素子とを用いて実現することもできる。また、光学情報読取部６は、入力部２からの処理開始指示をもとに、制御部９によってＲＦＩＤ処理部５とほぼ同時に起動される。
【００３８】
表示部７は、たとえば、液晶表示装置（Liquid Crystal Display : ＬＣＤ）、有機エレクトロルミネッセンス表示装置、電流が供給される間発光を継続する発光ダイオード（Light emitting diode : ＬＥＤ）を用いて実現され、制御部９の制御のもと、ＲＦＩＤタグ若しくはＲＦＩＤカードまたは光学情報記録媒体に対する読取処理の完了を表示出力する。表示部７は、ＲＦＩＤ処理部５が情報読取処理を完了した際、ＲＦＩＤ処理部５に対応した第１の表示処理によって読取処理の完了を表示出力する。また、表示部７は、光学情報読取部６が光学情報読取処理を完了した際、光学情報読取部６に対応した表示処理であって、ＲＦＩＤ処理部５に応じた表示処理とは異なる第２の表示処理によって光学情報読取処理の完了を表示出力する。上述した表示処理については、後に詳細に説明する。なお、表示部７は、ＲＦＩＤ処理部５が情報書込処理を完了した際、情報書込処理を行なった読取手段であるＲＦＩＤ処理部５に対応した表示処理で情報書込処理の完了を表示出力する。また、表示部７は、情報読取処理によって読み取られた情報、書込指示情報に含まれる書込情報、または光学情報読取処理によって読み取られた情報等を表示出力する場合もある。また、表示部７は、光学情報読取部６が光学情報記録媒体を撮像するように機能する場合、光学情報読取部６によって撮像された画像情報を表示出力する場合もある。また、表示部７は、情報端末装置１に処理動作に関するエラーが発生した場合に、制御部９の制御のもと、このエラーを報知する所定のエラー表示を表示出力してもよい。
【００３９】
音声入出力部８は、マイクロフォンおよびスピーカーを用いて実現される。音声入出力部８は、制御部９の制御のもと、外部からの音声情報を入力するとともに、入力した音声情報を制御部９に送出する。また、音声入出力部８は、制御部９の制御のもと、制御部９から入力された音声情報を外部に出力する。なお、音声入出力部８は、制御部９の制御のもと、各構成部位による処理の開始または完了を報知する所定の報知音を出力し、または、情報端末装置１に処理動作に関するエラーが発生した場合に、制御部９の制御のもと、このエラーを報知する所定のエラー音を出力してもよい。この場合、音声入出力部８は、上述した表示部７によるエラー表示の出力と同期して、このエラー表示に対応するエラー音を出力する。
【００４０】
制御部９は、記憶部１０を有する。記憶部１０は、処理プログラム等の各種データが予め記憶されたＲＯＭ（Read Only Memory）と、各処理の演算パラメータ、ＲＦＩＤタグまたはＲＦＩＤカードまたは光学情報記録媒体から読み取られた各種情報、書込情報、あるいは音声情報等を記憶するＲＡＭ（Random Access Memory）とを用いて実現される。
【００４１】
制御部９は、記憶部１０に記憶された処理プログラムを実行するＣＰＵ（Central Processing Unit）を備え、表示部７に対してＲＦＩＤ処理部５および光学情報読取部６に対応した第１の表示処理または第２の表示処理を行なわせる。また、入力部２、外部通信部３、ストレージデバイス４、ＲＦＩＤ処理部５、光学情報読取部６、表示部７、音声入出力部８、および記憶部１０の各処理または動作を制御する。この場合、制御部９は、これらの各構成部位に入出力される情報について所定の入出力制御を行い、かつ、この情報に対して所定の情報処理を行う。なお、制御部９は、外部通信部３を介して、ＲＦＩＤ処理部５または光学情報読取部６から入力された情報を外部のホストコンピュータに送出し、その後、このホストコンピュータによって情報処理がなされた情報を受信してもよい。
【００４２】
つぎに、情報端末装置１が行なう処理のうち、ＲＦＩＤ処理部５が行なう情報読取処理または光学情報読取部６が行なう光学情報読取処理の完了を表示出力する処理手順について説明する。図２は、情報端末装置１が情報読取処理または光学情報読取処理を完了し、読取処理の完了を表示部７に表示出力するまでの処理手順を示すフローチャートである。
【００４３】
まず、図２に示すように、入力部２から読取指示情報が入力され、制御部９は、入力部２から送出された読取指示情報をもとに処理開始指示があったかを判断する（ステップＳ１０２）。制御部９が処理開始指示があった旨を検出した場合には（ステップＳ１０２：Ｙｅｓ）、ステップＳ１０４に進む。一方、処理開始指示がない場合には（ステップＳ１０２：Ｎｏ）、再度ステップＳ１０２に戻り、制御部９は処理開始指示があったか否かを判断する。処理開始指示があった場合（ステップＳ１０２：Ｙｅｓ）、制御部９は、光学情報読取部６を起動し（ステップＳ１０４）、つぎにＲＦＩＤ処理部５を起動する（ステップＳ１０６）。起動したＲＦＩＤ処理部５と光学情報読取部６とは、読み取り可能範囲内にあるＲＦＩＤタグ若しくはＲＦＩＤカードまたは光学情報記録媒体に対して情報読取処理または光学情報読取処理を行う。なお、読取処理を行なう読取手段は、ＲＦＩＤ処理部５または光学情報読取部６のいずれかである。
【００４４】
つぎに、制御部９は、情報媒体に対する読取処理が完了した後、光学情報読取部６が光学情報記録媒体を読み取ったか否かを判断する（ステップＳ１０８）。光学情報読取部６が光学情報記録媒体を読み取っていないと判断した場合には（ステップＳ１０８：Ｎｏ）、ＲＦＩＤ処理部５がＲＦＩＤタグまたはＲＦＩＤカードを読み取ったか否かを判断する（ステップＳ１１０）。ＲＦＩＤ処理部５がＲＦＩＤタグまたはＲＦＩＤカードを読み取っていないと判断した場合には（ステップＳ１１０：Ｎｏ）、ステップＳ１０８に戻る。
【００４５】
そして、制御部９は、ＲＦＩＤ処理部５がＲＦＩＤタグまたはＲＦＩＤカードを読み取ったと判断した場合には（ステップＳ１１０：Ｙｅｓ）、ＲＦＩＤ処理部５が読み取ったＲＦＩＤタグまたはＲＦＩＤカードの情報を記憶部１０に記憶させる読み取り情報記録処理を行なう（ステップＳ１１２）。次いで、制御部９は、表示部７に対して、ＲＦＩＤ処理部５に対応した第１の表示処理によって情報読取処理の完了を表示出力させる（ステップＳ１１４）。第１の表示処理については、後に詳細に説明する。
【００４６】
一方、制御部９は、光学情報読取部６が光学情報記録媒体を読み取ったと判断した場合には（ステップＳ１０８：Ｙｅｓ）、光学情報読取部６が読み取った光学情報記録媒体の情報を記憶部１０に記憶させる読み取り情報記憶処理を行なう（ステップＳ１１６）。次いで、制御部９は、表示部７に対して、光学情報読取部６に対応した第２の表示処理によって光学情報読取処理の完了を表示出力させる（ステップＳ１１８）。第２の表示処理は、ＲＦＩＤ処理部５に対応する第１の表示処理とは異なる表示処理であり、後に詳細に説明する。
【００４７】
そして、表示部７が読取処理の完了を表示した後、光学情報読取部６が停止し（ステップＳ１２０）、次いでＲＦＩＤ処理部５が停止し（ステップＳ１２２）、情報端末装置１は読取処理を終了する。
【００４８】
ここで、情報端末装置１の具体的構成について説明する。図３は、実施の形態１における情報端末装置１の全体構成を示す分解斜視図である。図３に示す各部材を組み合わせることによって、実施の形態１にかかる情報端末装置１が構成される。
【００４９】
情報端末装置１は、上部ハウジング１１と、下部ハウジング１２と、ガスケット部材１３とによって筐体が形成されている。ガスケット部材１３は、弾性部材を用いて環状に形成されており、上部ハウジング１１と下部ハウジング１２とを係合する際に、それぞれの係合部分に設けられた溝部にはめ込まれて弾性変形し、上部ハウジング１１と下部ハウジング１２との間に生じる隙間を埋めている。また、図３に示すように、ガスケット部材１３は、下部ハウジング１２に形成された穴部１４に対応した開口部１５を備えた構造であり、後述する操作スイッチ２２と穴部１４との間に生じる隙間も埋めている。
【００５０】
上部ハウジング１１は、画像表示を行うための表示窓７１が形成されるとともに、ＬＥＤ用窓７３が形成される。また、上部ハウジング１１は、識別情報等の入力を行なうための複数のボタン２１を備える。表示窓７１は後述する液晶モジュール７２と組み合わされることによって、また、ＬＥＤ用窓７３は後述するＬＥＤ７４と組み合わされることによって表示部７として機能し、ボタン２１は、後述する入力スイッチ２５と連動することで入力部２として機能する。
【００５１】
下部ハウジング１２は、底部にバッテリ収容部１６と、撮像窓６１と、照明窓６６とが形成され、側面部に前述の穴部１４が形成された構造を有する。また、下部ハウジング１２の底部には、アンテナ５ａを構成するループアンテナ５１が配置されており、ループアンテナ５１と接続し、後述する回路基板９１に形成される所定の電子回路によってＲＦＩＤ処理部５が形成される。
【００５２】
バッテリ収容部１６は、情報端末装置１の各構成要素の駆動電力を供給するバッテリ１７を収容するためのものである。バッテリ収容部１６の開口部には蓋部１８がはめ込まれる構成となっており、蓋部１８は、バッテリ１７を収容した状態で開口部にはめ込まれることによってバッテリ１７を外部から保護する機能を有する。
【００５３】
撮像窓６１は、撮像ユニット６２をはめ込むためのものである。撮像ユニット６２は、光学レンズ等を備えた光学系６３と、光学系６３によって結像された入力光を光電変換するＣＣＤ回路６４と、ＣＣＤ回路６４から出力されたデータの処理を行なう画像処理回路６５とを備え、光学情報読取部６を構成するためのものである。また、照明窓６６は、照明ユニット６７をはめ込むためのものである。照明ユニット６７は、ＬＥＤ等の発光素子を内蔵し、撮像ユニット６２による撮像動作時に光学情報記録媒体を照明する機能を有する。
【００５４】
穴部１４は、操作スイッチ２２をはめ込むためのものである。操作スイッチ２２は、情報端末装置１の動作モードを情報読取処理または情報書込処理と光学情報読取処理との間で切り替えるためのものである。たとえば、操作者が操作スイッチ２２を押す回数に対応して、下部ハウジング１２の底部に設けられた制御スイッチ２４が連動するよう構成されている。制御スイッチ２４の連動によって、制御部９に各指示情報が入力される。
【００５５】
上部ハウジング１１、下部ハウジング１２およびガスケット部材１３によって形成される筐体内には、プリント配線基板等によって構成される回路基板９１が配置されている。回路基板９１上には、ボタン２１に対応した入力スイッチ２５が配置される。ボタン２１と入力スイッチ２５と、前述した操作スイッチ２２と制御スイッチ２４とによって入力部２が構成されている。また、回路基板９１上には、表示窓７１に対応した位置に液晶モジュール７２が配置され、ＬＥＤ用窓７３に対応した位置にＬＥＤ７４が配置されている。表示窓７１、液晶モジュール７２、ＬＥＤ用窓７３、ＬＥＤ７４によって表示部７が形成されている。表示部７は、後述するように、情報読取処理または光学情報読取処理の完了を第１の表示処理または第２の表示処理によって表示出力する。また、回路基板９１上には、ＣＰＵやメモリ等の電子回路群が配置されており、かかる電子回路群によって制御部９および記憶部１０が構成されている。また、図示しないが、回路基板９１にはマイクロフォンおよびスピーカーも接続されており、このマイクロフォンおよびスピーカーと電子回路群とによって音声入出力部８が形成される。また、図示しないが、情報端末装置１は、外部通信部３およびストレージデバイス４も備えている。
【００５６】
つぎに、第１の表示処理および第２の表示処理について詳細に説明する。この実施の形態１では、制御部９は、表示部７に対して、表示部７を形成するＬＥＤ７４の表示時間、すなわち点灯時間を、読取手段に応じて変化させて読取処理の完了を表示出力させている。
【００５７】
図４は、実施の形態１における第１の表示処理を説明するための図である。また、図５は、実施の形態１における第２の表示処理を説明するための図である。図４および図５におけるｔ1からｔ2の期間は、ＬＥＤ７４において読取処理の完了が表示される読取完了表示期間であり、図４および図５は、読取完了表示期間の間、ＬＥＤ７４に対して供給される電流の時間依存を示している。
【００５８】
まず、第１の表示処理について説明する。表示部７は、第１の表示処理によって、ＲＦＩＤ処理部５がＲＦＩＤタグまたはＲＦＩＤカードに対して情報読取処理を行なった際に、該ＲＦＩＤタグまたはＲＦＩＤカードに対する情報読取処理の完了を表示出力する。すなわち、第１の表示処理は、表示部７に対してＲＦＩＤ処理部５が情報読取処理を完了したことを表示出力させる方法である。この第１の表示処理では、図４に示すように、ＬＥＤ７４に読取完了表示期間の間、点灯可能な電流の供給を継続している。ＬＥＤ７４は電流が供給される間、発光を継続する発光素子である。このため、第１の表示処理では、ＬＥＤ７４は読取完了表示期間の間、点灯を継続する。
【００５９】
つぎに、第２の表示処理について説明する。表示部７は、第２の表示処理によって、光学情報読取部６が光学情報記録媒体に対して光学情報読取処理を行なった際に、該光学情報記録媒体に対する光学情報読取処理の完了を表示出力する。すなわち、第２の表示処理は、表示部７に対して光学情報読取部６が光学情報読取処理を完了したことを表示出力させる方法である。この第２の表示処理では、図５に示すように、ＬＥＤ７４に読取完了表示期間の間、点灯可能な電流を、たとえば、所定時間Ｔａごとに供給している。このため、第２の表示処理では、ＬＥＤ７４は、読取完了表示期間の間、所定時間Ｔａごとに点灯を繰り返す。すなわち、第２の表示処理では、ＬＥＤ７４は、読取完了表示期間の間、所定時間Ｔａごとに点滅する。
【００６０】
このように、本実施の形態１では、制御部９は、ＬＥＤ７４に対して、読取処理を完了した読取手段に応じて点灯時間を変化させて読取処理の完了を表示出力させている。このため、ＲＦＩＤタグまたはＲＦＩＤカードと光学情報記録媒体とが近接していた場合であっても、情報媒体を読み取った読取手段がＲＦＩＤ処理部５と光学情報読取部６とのいずれかであったかを情報端末装置１を操作する操作者は容易に認識することが可能となる。したがって、操作者は、情報端末装置１がＲＦＩＤタグと光学情報記録媒体とのいずれの情報を読み取ったかを正確に判別することができ、管理対象を円滑に管理することが可能となる。
【００６１】
なお、読取完了表示期間の間、ＬＥＤ７４に対して点灯を継続させる表示処理を第１の表示処理とし、ＬＥＤ７４に対してＴａ間隔で点滅させる表示処理を第２の表示処理として説明したが、これに限らず、ＬＥＤ７４に対してＴａ間隔で点滅させる表示処理を第１の表示処理とし、ＬＥＤ７４に対して点灯を継続させる表示処理を第２の表示処理としてよい。異なる表示処理を用いて読取処理の完了を示すことによって、操作者はＲＦＩＤ処理部５と光学情報読取部６とのいずれが読取処理を完了したかを簡易に認識することが可能であるためである。
【００６２】
また、図４および図５を用いて説明した表示処理に限らず、第１の表示処理および第２の表示処理として以下の図６および図７に示す表示処理を用いてもよい。図６は、実施の形態１における第１の表示処理の他の例を説明するための図である。また、図７は、実施の形態１における第２の表示処理の他の例を説明するための図である。図６および図７におけるｔ1からｔ2の期間は、図４および図５と同様に読取完了表示期間となり、図６および図７は、読取完了表示期間の間、ＬＥＤ７４に対して供給される電流の時間依存を示している。
【００６３】
図６に示すように、第１の表示処理の他の例では、読取完了表示期間の間、ＬＥＤ７４に対して時間Ｔｂごとに電流を供給し、ＬＥＤ７４は時間Ｔｂごとに点灯を繰り返す。すなわち、第１の表示処理の他の例では、ＬＥＤ７４は、読取完了表示期間の間、時間Ｔｂの間隔で点滅する。一方、図７に示すように、第２の表示処理の他の例では、ＬＥＤ７４に対して時間Ｔｃ（＜Ｔｂ）ごとに電流を供給し、ＬＥＤ７４は時間Ｔｃごとに点灯を繰り返す。すなわち、第２の表示処理の他の例では、ＬＥＤ７４は、読取完了表示期間の間、時間Ｔｃの間隔で点滅する。
【００６４】
このように、読取処理を行なった読取手段に応じてＬＥＤ７４の点滅時間を変化させて読取処理の完了を示した場合も、操作者は、読取処理を行なった読取手段がＲＦＩＤ処理部５と光学情報読取部６とのいずれかであったかを容易に認識することが可能となる。なお、図６および図７に示す第１の表示処理の他の例と第２の表示処理の他の例とは、操作者が差異を認識できる程度に点滅間隔が異なっていれば足り、たとえば、第１の表示処理の他の例ではＴｃ間隔でＬＥＤ７４を点滅させ、第２の表示処理の他の例ではＴｂ間隔でＬＥＤ７４を点滅させてもよい。
【００６５】
なお、読取手段としてＲＦＩＤ処理部５と光学情報読取部６とを備えた場合について説明したが、さらに他の読取手段を備えてもよい。この場合、ＬＥＤ７４は、読取手段に応じて点灯表示または点滅表示を行うほか、読取手段に応じて点灯表示と点滅表示を繰り返してもよい。また、ＬＥＤ７４は、読取手段に応じて、点滅間隔を変化させてもよい。
【００６６】
（実施の形態２）
つぎに、実施の形態２にかかる情報端末装置について説明する。実施の形態１では読取処理を完了した読取手段に応じてＬＥＤ７４を点灯表示または点滅させて読取処理の完了を示したが、本実施の形態２で、読取処理を完了した読取手段に応じてＬＥＤ７４の表示色を変化させて読取処理の完了を表示する。
【００６７】
図８は、実施の形態２にかかる情報端末装置の平面図であり、実施の形態２における第１の表示処理を説明するための図である。また、図９は、実施の形態２にかかる情報端末装置の平面図であり、実施の形態２における第２の表示処理を説明するための図である。図８，図９に示すＬＥＤ点灯領域７５はＬＥＤ用窓７３を介してＬＥＤ７４の点灯が表示される領域であり、表示領域７６は表示窓７１を介して液晶モジュール７２の画像が表示される領域である。なお、本実施の形態２にかかる情報端末装置は、実施の形態１にかかる情報端末装置１と同様の構造を有し、実施の形態１にかかる情報端末装置１と同様の処理手順にしたがって読取処理の完了を表示出力する。
【００６８】
図８に示すように、第１の表示処理では、読取完了表示期間の間、ＬＥＤ７４に赤色光を点灯させて、ＬＥＤ点灯領域７５に赤色光７５ａを表示させる。第１の表示処理は、実施の形態１と同様に、表示部７に対してＲＦＩＤ処理部５における情報読取処理の完了を表示出力させる表示処理である。
【００６９】
一方、第２の表示処理は、図９に示すように、読取完了表示期間の間、ＬＥＤ７４に第１の表示処理における表示色と異なる緑色光を点灯させて、ＬＥＤ点灯領域７５に緑色光７５ｂを表示させる。第２の表示処理は、光学情報読取部６における光学情報読取処理の完了を表示出力させる表示処理である。
【００７０】
このように、本実施の形態２では、読取処理を行なった読取手段に応じてＬＥＤ７４の表示色を変化させて読取処理の完了をＬＥＤ点灯領域７５に表示させている。このため、ＲＦＩＤタグまたはＲＦＩＤカードと光学情報記録媒体とが近接していた場合であっても、読取処理を行なった読取手段がＲＦＩＤ処理部５と光学情報読取部６とのいずれかであったかを操作者は容易に認識することが可能となる。したがって、操作者は、ＲＦＩＤタグと光学情報記録媒体とのいずれの情報を読み取ったかを正確に判別することができ、管理対象を円滑に管理することが可能となる。
【００７１】
なお、図８および図９では、第１の表示処理としてＬＥＤ表示領域７５に赤色光７５ａを表示させ、第２の表示処理としてＬＥＤ表示領域７５に緑色光７５ｂを表示させた場合について説明したが、これに限らず、第１の表示処理としてＬＥＤ表示領域７５に緑色光７５ｂを表示させ、第２の表示処理としてＬＥＤ表示領域７５に赤色光７５ａを表示させてもよい。また、第１の表示処理および第２の表示処理は、ＬＥＤ表示領域７５に赤色光７５ａまたは緑色光７５ｂを表示させる場合に限らず、それぞれ異なる表示色をＬＥＤ７４に発光させて、ＬＥＤ表示領域７５に表示させれば足りる。第１の表示処理および第２の表示処理において、ＬＥＤ表示領域７５にそれぞれ異なる表示色を表示させることによって、操作者は、読取処理を行なった読取手段がＲＦＩＤ処理部５と光学情報読取部６とのいずれかであったかを容易に認識することが可能となる。また、本実施の形態２では、ＬＥＤ点灯領域７５の表示色を変化させた第１の表示処理および第２の表示処理を説明したが、これに限らず、表示領域７６の全体または一部にＲＦＩＤ処理部５，光学情報読取部６に対応した表示色で表示させてもよい。
【００７２】
また、読取手段としてＲＦＩＤ処理部５と光学情報読取部６とを備えた場合について説明したが、さらに他の読取手段を備えてもよい。この場合、ＬＥＤ７４は、読取手段に応じた表示色で発光すればよい。また、ＬＥＤ７４は、点灯表示または点滅表示をさらに行なってもよい。
【００７３】
（実施の形態３）
つぎに、実施の形態３にかかる情報端末装置について説明する。実施の形態３では、表示領域７６に読取手段を識別する識別情報を表示させ、読取処理の完了を表示出力している。
【００７４】
図１０は、実施の形態３にかかる情報端末装置の平面図であり、実施の形態３における第１の表示処理を説明するための図である。また、図１１は、実施の形態３にかかる情報端末装置の平面図であり、実施の形態３における第２の表示処理を説明するための図である。なお、本実施の形態３にかかる情報端末装置は、実施の形態１にかかる情報端末装置１と同等の構造を有し、実施の形態１にかかる情報端末装置１と同様の処理手順にしたがって読取処理を行い読取処理の完了を表示する。
【００７５】
第１の表示処理では、図１０に示すように、読取完了表示期間の間、表示領域７６の一部領域に、ＲＦＩＤ処理部５を識別するＲＦＩＤ読取表示７８ａとして「ＲＦＩＤ」の文字を表示させる。このように、第１の表示処理ではＲＦＩＤ処理部５を識別する識別情報を表示領域７６の一部領域に表示させている。
【００７６】
一方、第２の表示処理では、図１１に示すように、表示領域７６の一部領域、たとえばＲＦＩＤ読取表示７８ａの下方に、光学情報読取部６を識別する光学情報読取表示７８ｂとして「ＩＭＧ」の文字を表示させる。このように、第２の表示処理では光学情報読取部６を識別する識別情報を表示領域７６の一部領域に表示させている。
【００７７】
このように、本実施の形態３では、読取処理を行なった読取手段を識別する識別情報を表示領域７６の一部領域に表示し読取処理の完了を表示出力する。このため、ＲＦＩＤタグまたはＲＦＩＤカードと光学情報記録媒体とが近接していた場合であっても、読取処理を行なった読取手段がＲＦＩＤ処理部５と光学情報読取部６とのいずれかであったかを操作者は容易に認識することが可能となる。したがって、実施の形態１，２と同様の効果を奏する。さらに、本実施の形態３では、読取処理を行なった読取手段を識別する識別情報を表示するため、実施の形態１，２と比較し、読取処理を行なった読取手段を直接的に認識することが可能である。このため、実施の形態１，２と比較し、さらに正確に読取処理を行なった読取手段および読取処理が完了した情報媒体の種別を判別することが可能となる。
【００７８】
なお、第１の表示処理では、ＲＦＩＤ処理部５を識別するＲＦＩＤ読取表示７８ａとして「ＲＦＩＤ」の文字を用いた場合について説明したが、これに限らず、ＲＦＩＤ処理部５を識別する他の文字、画像等を用いてもよい。表示領域７６にＲＦＩＤ処理部５を識別する情報を表示させることによって、操作者はＲＦＩＤ処理部５が読取処理を行なったことを認識することができるためである。同様に、第２の表示処理では、光学情報処理部６を識別する光学情報読取表示７８ｂとして「ＩＭＧ」の文字を用いた場合について説明したが、これに限らず、光学情報処理部６を識別する他の文字、画像等を用いてもよい。
【００７９】
また、読取手段を識別する識別情報を表示領域７６の下部領域に表示させる表示処理を第１の表示処理および第２の表示処理として説明したが、これに限らず、読取手段を識別する情報を表示領域７６の上部領域または表示領域７６の中央に表示させてもよい。表示領域７６の一定の領域にＲＦＩＤ読取表示７８ａまたは光学情報読取表示７８ｂを表示させることによって、操作者は読取処理ごとに確実に読取処理を行なった読取手段を認識することができるため、表示領域７６の一定の領域に各識別情報を表示すれば足りる。
【００８０】
また、本実施の形態３では、第１の表示処理および第２の表示処理として、ＲＦＩＤ処理部５および光学情報読取部６のうち読取処理を行なった読取手段を識別する情報を表示領域７６に表示させる方法を説明したが、これに限らず、読取処理を行なった読取手段を識別する情報を点滅表示してもよい。
【００８１】
たとえば、図１２に示すように、第１の表示処理では、読取処理を行なったＲＦＩＤ処理部５を識別する「ＲＦＩＤ」の文字、すなわち、ＲＦＩＤ読取表示７８ａを表示領域７６内で点滅表示させて、ＲＦＩＤ処理部５における情報読取処理の完了を操作者に認識させる。なお、第１の表示処理では、図１２に示すように、読取処理を行なっていない光学情報読取部６を識別する「ＩＭＧ」の文字、すなわち、光学情報読取表示７８ｂは点滅表示されない。一方、第２の表示処理では、読取処理を行なった光学情報読取部６を識別する「ＩＭＧ」の文字、すなわち、光学情報読取表示７８ｂを点滅表示させ、「ＲＦＩＤ」の文字であるＲＦＩＤ読取表示７８ａを点滅表示させない。このように、表示領域７６内にＲＦＩＤ読取表示７８ａと光学情報読取表示７８ｂとをともに表示し、読取処理の完了を表示する際には読取処理を行なった読取手段に対応するＲＦＩＤ読取表示７８ａまたは光学情報読取表示７８ｂのいずれかを点滅表示させているため、読取処理を行なった読取手段および読取処理が完了した情報媒体の種別を正確に認識することが可能となる。
【００８２】
また、読取手段としてＲＦＩＤ処理部５と光学情報読取部６とを備えた場合について説明したが、さらに他の読取手段を備えてもよい。読取処理を行なった読取手段を識別する識別情報をそれぞれ表示または点灯表示させればよい。
【００８３】
また、実施の形態１〜３では、第１の表示処理および第２の表示処理を、ＲＦＩＤ処理部５と光学情報読取部６とを読取手段として備えた情報端末装置に対して適用した場合について説明したが、これに限らず、ＲＦＩＤ処理部５と、アンテナ５ａの送信電波と異なる周波数の電波を送信するアンテナを備えたＲＦＩＤ処理部とを読取手段として備えた情報端末装置に対しても適用することができる。
【００８４】
（実施の形態４）
つぎに、実施の形態４について説明する。実施の形態３では、表示部７に読取処理を行なった読取手段を識別する識別情報を表示させていたが、実施の形態４では、表示領域７６に読取手段が読取処理を行なった情報媒体の外観を区別する外観情報を表示させている。
【００８５】
図１３は、本実施の形態４にかかる情報端末装置の概略構成を示すブロック図である。図１３に示すように、実施の形態４にかかる情報端末装置１０１は、ＲＦＩＤ処理部５と、アンテナ５ａの送信電波と異なる周波数の電波を送信するアンテナ６８ａに電気的に接続するＲＦＩＤ処理部６８とを読取手段として備える。制御部９は、ＲＦＩＤ処理部６８に対しても制御を行なう。ＲＦＩＤ処理部６８は、制御部９の制御のもと、ＲＦＩＤ処理部５と同様に、アンテナ６８ａが送信する電波に応じるＲＦＩＤタグまたはＲＦＩＤカードに対して非接触による情報読取処理または情報書込み処理を行ない、情報読取処理を行なった際にＲＦＩＤタグまたはＲＦＩＤカードに記憶された情報を読み出している。なお、情報端末装置１０１は情報端末装置１と同様の外形を有する。
【００８６】
つぎに、情報端末装置１０１がＲＦＩＤタグまたはＲＦＩＤカードに対する情報読取処理を行い、この情報読取処理の完了を示す表示処理について説明する。情報端末装置１０１は、図２に示す処理手順と同様に、制御部９は処理開始指示があったか否かを判断し、処理開始指示が合った場合には、ＲＦＩＤ処理部５とＲＦＩＤ処理部６８とを起動する。次いで、制御部９は、ＲＦＩＤ処理部６８がアンテナ６８ａに応じるＲＦＩＤカードを読み取ったか否かを判断し、ＲＦＩＤ処理部６８がＲＦＩＤカードを読み取っていない場合には、ＲＦＩＤ処理部５がアンテナ５ａに応じるＲＦＩＤカードを読み取ったか否かを判断する。ＲＦＩＤ処理５がアンテナ５ａに応じるＲＦＩＤカードを読み取った場合には、読み取った情報を記憶し、表示部７が第１の表示処理によって読取処理の完了を表示出力する。一方、ＲＦＩＤ処理部６８がアンテナ６８ａに応じるＲＦＩＤカードを読み取った場合には、読み取った情報を記憶し、第２の表示処理によって読取処理の完了を表示出力する。表示部７が第１の表示処理または第２の表示処理によって読取処理の完了を表示出力した後、ＲＦＩＤ処理部５およびＲＦＩＤ処理部６８の駆動を停止し、情報端末装置１０１は読取処理を完了する。
【００８７】
つぎに、第１の表示処理および第２の表示処理について、具体的に説明する。図１４は、実施の形態４における表示処理を説明するための図である。図１４では、情報端末装置１０１が近接するＲＦＩＤカード５９１またはＲＦＩＤカード６９１に対して読取処理を行なう場合について例示する。ＲＦＩＤカード５９１は、情報端末装置１０１のＲＦＩＤ処理部５が情報読取処理を行なうことができるＲＦＩＤカードであり、ＲＦＩＤカード６９１はＲＦＩＤ処理部６８が情報読取処理を行なうことができるＲＦＩＤカードである。たとえば、ＲＦＩＤ処理部５が読み取るＲＦＩＤカード５９１は、ＲＦＩＤ処理部６８が読み取るＲＦＩＤカード６９１と比較し大きな形状に規格されている。ＲＦＩＤカード５９１が記憶する識別情報はＲＦＩＤカード５９１の外形を区別する情報、たとえば、「カード（大）」を含み、ＲＦＩＤカード６９１が記憶する識別情報はＲＦＩＤカード６９１の外形をＲＦＩＤカード５９１と比較し区別する情報、たとえば、「カード（小）」を含む。
【００８８】
図１４では、情報端末装置１０１が、近接するＲＦＩＤカード５９１，６９１のうち、ＲＦＩＤカード５９１を読み取り、第１の表示処理によって情報読取処理の完了を表示する場合について例示する。図１４に示すように、第１の表示処理では、ＲＦＩＤ処理部５がＲＦＩＤカード５９１から読み取った情報のうちＲＦＩＤカード５９１の外形を区別する情報である「カード（大）」の文字を表示領域７６に表示させる。一方、ＲＦＩＤ処理部６８がＲＦＩＤカード６９１を読み取った場合には、第２の表示処理によって情報読取処理の完了を表示する。第２の表示処理では、図示しないが、ＲＦＩＤカード６９１から読み取った情報のうちＲＦＩＤカードの外形を区別する情報である「カード（小）」の文字を表示領域７６に表示させる。
【００８９】
このように、ＲＦＩＤカード５９１，６９１に記憶されている情報のうち、ＲＦＩＤカード５９１，６９１の外形を区別する情報が表示領域７６に表示されることによって、操作者は、情報端末装置１０１がＲＦＩＤカード５９１，６９１のいずれを読み取ったかを正確に判別することができる。
【００９０】
なお、情報端末装置１０１は、図１４に示すように、ＲＦＩＤカード５９１，６９１の外形を区別する情報を表示するほか、ＲＦＩＤカード５９１，６９１の外観色を区別する情報を表示してもよい。ＲＦＩＤカード５９１，６９１の形状がほぼ同等であった場合であっても、情報端末装置１０１がＲＦＩＤカード５９１，６９１の外観色を区別する外観情報を表示することによって、操作者は情報端末装置１０１がＲＦＩＤカード５９１，６９１のいずれの情報を読み取ったかを正確に認識することができる。また、情報端末装置１０１は、ＲＦＩＤカード５９１，６９１の外観色に限らず、ＲＦＩＤカード５９１，６９１の外観を区別できる情報を表示すれば足りる。
【００９１】
また、情報端末装置１０１は、ＲＦＩＤカード５９１，６９１から読み取った情報のうちＲＦＩＤカード５９１，６９１の外観を区別する情報を表示するほか、ＲＦＩＤカード５９１，６９１の外観情報を記憶部１０に予め記憶させておき、情報読取処理を完了したＲＦＩＤ処理部５，６８に対応した外観情報を記憶部１０から抽出し表示領域７６に表示してもよい。また、本実施の形態４では、ＲＦＩＤカード５９１，６９１に対して情報読取処理を行なった場合について説明したが、もちろん、ＲＦＩＤタグに対して情報読取処理を行なう場合に対しても適用することができる。
【００９２】
また、実施の形態４としてＲＦＩＤ処理部５およびＲＦＩＤ処理部６８を備えた情報端末装置１０１について説明したが、これに限らず、ＲＦＩＤ処理部５および光学情報読取部６を備えた情報端末装置１に適用してもよい。また、さらに他の読取手段を備えた情報端末装置に適用してもよい。
【００９３】
（実施の形態５）
つぎに、実施の形態５について説明する。実施の形態５では、実施の形態１〜４の表示処理を適宜組み合わせて読取処理の完了を示す情報端末装置について説明する。なお、実施の形態５にかかる情報端末装置は、上述した情報端末装置１，１０１と同様の構造を備え、情報端末装置１，１０１と同様の処理手順を行なって読取処理の完了を表示する。
【００９４】
たとえば、実施の形態１および実施の形態３において説明した表示処理を組み合わせて読取処理の完了を表示出力する場合について、ＲＦＩＤ処理部５と光学情報読取部６とを読取手段として備えた情報端末装置を例として説明する。
【００９５】
ＲＦＩＤ処理部５が情報読取処理を完了した旨を示す第１の表示処理では、読取完了表示期間の間、ＬＥＤ７４に点灯を継続させる。このため、ＬＥＤ点灯領域７５ではＬＥＤ７４の点灯が表示される。さらに、第１の表示処理では、表示領域７６にＲＦＩＤ読取表示７８ａとして「ＲＦＩＤ」の文字を表示させる。
【００９６】
一方、光学情報読取部６が光学情報読取処理を完了した旨を示す第２の表示処理では、読取完了表示期間の間、たとえば、Ｔａの時間間隔でＬＥＤ７４を点滅させる。このため、ＬＥＤ点灯領域７５ではＬＥＤ７４の点滅が表示される。さらに、第２の表示処理では、表示領域７６に光学情報読取表示７８ｂとして「ＩＭＧ」の文字を表示させる。
【００９７】
このように、本実施の形態５では、実施の形態１および実施の形態３において説明した表示処理を組み合わせて、ＬＥＤ点灯領域７５と表示領域７６との双方に対して読取処理の完了を表示させることによって、操作者は読取処理を行なった読取手段を容易に認識することができる。
【００９８】
また、上述した表示処理のほか、図１５、図１６に示すように、実施の形態２および実施の形態３において説明した表示処理を組み合わせて読取処理の完了を示してもよい。図１５は、実施の形態５における第１の表示処理の他の例を説明する図であり、図１６は、実施の形態５における第２の表示処理の他の例を説明する図である。なお、図１５、図１６では、読取手段としてＲＦＩＤ処理部５と光学情報読取部６とを備えた情報端末装置について例示する。
【００９９】
図１５に示すように、第１の表示処理では、表示領域７６にＲＦＩＤ読取表示７８ａとして「ＲＦＩＤ」の文字を表示し、さらに、ＬＥＤ７４に赤色光を発光させてＬＥＤ点灯領域７５に赤色光７５ａを表示する。一方、第２の表示処理では、図１６に示すように、表示領域７６に光学情報読取表示７８ｂとして「ＩＭＧ」の文字を表示するとともに、ＬＥＤ７４に緑色光を発光させてＬＥＤ点灯領域７５に緑色光７５ｂを表示する。
【０１００】
このように、表示領域７６にＲＦＩＤ読取表示７８ａまたは光学情報読取表示７８ｂを表示するとともに、ＬＥＤ点灯領域７５の表示色を読取手段に応じて変化させた場合も、操作者は読取処理を行なった読取手段を容易に認識することができる。また、第１の表示処理としてＬＥＤ点灯領域７５に赤色光７５ａを表示させ、第２の表示処理としてＬＥＤ点灯領域７５に緑色光７５ｂを表示させる場合について説明したが、これに限らず、第１の表示処理と第２の表示処理とにおいてＬＥＤ点灯領域７５の表示色が異なっていれば足りる。また、読取手段としてＲＦＩＤ処理部５および光学情報読取部６を備えた情報端末装置について説明したが、読取手段としてＲＦＩＤ処理部５およびＲＦＩＤ処理部６８を備えた情報端末装置に対しても、同様にＬＥＤ点灯領域７５に各ＲＦＩＤ処理部に対応する表示色を表示させ、表示領域７６に各ＲＦＩＤ処理部を識別する文字等を表示すればよい。
【０１０１】
また、上述した表示処理のほか、図１７、図１８に示すように、実施の形態２および実施の形態４において説明した表示処理を組み合わせて読取処理の完了を示してもよい。図１７は、実施の形態５における第１の表示処理の他の例を説明する図であり、図１８は、実施の形態５における第２の表示処理の他の例を説明する図である。なお、図１７、図１８では、読取手段としてＲＦＩＤ処理部５とＲＦＩＤ処理部６８とを備えた情報端末装置について例示する。
【０１０２】
図１７に示すように、第１の表示処理では、読取完了表示期間の間、ＬＥＤ７４に赤色光を発光させＬＥＤ点灯領域７５に赤色光７５ａを表示する。さらに、第１の表示処理では、表示領域７６にＲＦＩＤ処理部５が読み取ったＲＦＩＤカードの外観を区別する情報、たとえば、「カード（大）」の文字を表示する。一方、第２の表示処理では、図１８に示すように、読取完了表示期間の間、ＬＥＤ７４に緑色光を発光させＬＥＤ点灯領域７５に緑色光７５ｂを表示する。さらに、表示領域７６にＲＦＩＤ処理部６８が読み取ったＲＦＩＤカードの外観を区別する情報、たとえば、「カード（小）」の文字を表示する。
【０１０３】
このように、ＬＥＤ点灯領域７５に読取処理に応じた表示色を表示させるとともに、表示領域７６に読み取られたＲＦＩＤカードの外観情報を表示することによって、操作者は読取処理を行なったＲＦＩＤカードを正確に認識することができる。
【０１０４】
また、実施の形態１〜５では、ＬＥＤ７４を単数設けた場合について説明したが、これに限らず、ＬＥＤ７４を複数も受けてもよい。また、情報端末装置１，１０１のＬＥＤ表示領域７５の上部にＲＦＩＤ処理部５，光学情報読取部６，ＲＦＩＤ処理部６８を識別する識別情報を印刷し、各読取手段が読取処理を完了した場合には各読取手段の識別情報が印刷されたＬＥＤ７４が点灯または点滅表示を行ってもよい。
【０１０５】
また、実施の形態１〜５では、表示部７が情報読取処理または光学情報読取処理の完了を表示出力する場合について説明したが、これに限らず、情報端末装置１，１０１が情報書込処理を行なった場合も、同様の処理手順を用いて、表示部７に対して読取手段ごとに対応した表示処理を行い情報書込処理の完了を表示出力させてもよい。
【０１０６】
（実施の形態６）
つぎに、実施の形態６について説明する。実施の形態１〜５では、表示部７に対して各読取手段に対応した表示処理によって読取処理の完了を表示させているが、実施の形態６では、音声入出力部８に対して各読取手段に応じた音声処理によって音声を出力させて読取処理の完了を報知させている。
【０１０７】
図１９は、実施の形態６にかかる情報端末装置において、情報読取処理または光学情報読取処理を完了し、読取処理の完了を音声入出力部８に音声出力させるまでの処理手順を示すフローチャートである。なお、実施の形態６にかかる情報端末装置は、情報端末装置１と同様の構造を備える。
【０１０８】
まず、図１９に示すように、入力部２から読取指示情報が入力され、制御部９は、入力部２から送出された読取指示情報をもとに処理開始指示があったか否かを判断する（ステップＳ２０２）。制御部９が処理開始指示があった旨を検出した場合には（ステップＳ２０２：Ｙｅｓ）、ステップＳ２０４に進む。一方、処理開始指示がない場合には（ステップＳ２０２：Ｎｏ）、再度ステップＳ２０２に戻り、制御部９は処理開始指示があったかを判断する。処理開始指示があった場合（ステップＳ２０２：Ｙｅｓ）、制御部９は、光学情報読取部６を起動し（ステップＳ２０４）、つぎにＲＦＩＤ処理部５を起動する（ステップＳ２０６）。起動したＲＦＩＤ処理部５と光学情報読取部６とは、読み取り可能範囲内にあるＲＦＩＤタグ若しくはＲＦＩＤカードまたは光学情報記録媒体に対して情報読取処理または光学情報読取処理を行う。なお、読取処理を行なう読取手段は、ＲＦＩＤ処理部５または光学情報読取部６のいずれかである。
【０１０９】
つぎに、制御部９は、情報媒体に対する読取処理が完了した後、光学情報読取部６が光学情報記録媒体を読み取ったか否かを判断する（ステップＳ２０８）。光学情報読取部６が光学情報記録媒体を読み取っていないと判断した場合には（ステップＳ２０８：Ｎｏ）、ＲＦＩＤ処理部５がＲＦＩＤタグまたはＲＦＩＤカードを読み取ったか否かを判断する（ステップＳ２１０）。ＲＦＩＤ処理部５がＲＦＩＤタグまたはＲＦＩＤカードを読み取っていないと判断した場合には（ステップＳ２１０：Ｎｏ）、ステップＳ２０８に戻る。
【０１１０】
そして、制御部９は、ＲＦＩＤ処理部５がＲＦＩＤタグまたはＲＦＩＤカードを読み取ったと判断した場合には（ステップＳ２１０：Ｙｅｓ）、ＲＦＩＤ処理部５が読み取ったＲＦＩＤタグまたはＲＦＩＤカードの情報を記憶部１０に記憶させる読み取り情報記録処理を行なう（ステップＳ２１２）。次いで、制御部９は、音声入出力部８に対して、ＲＦＩＤ処理部５に対応した第１の音声処理を用いて音声を出力させ（ステップＳ２１４）、情報読取処理の完了を報知させる。第１の音声処理については、後に詳細に説明する。
【０１１１】
一方、制御部９は、光学情報読取部６が光学情報記録媒体を読み取ったと判断した場合には（ステップＳ２０８：Ｙｅｓ）、光学情報読取部６が読み取った光学情報記録媒体の情報を記憶部１０に記憶させる読み取り情報記憶処理を行なう（ステップＳ２１６）。次いで、制御部９は、音声入出力部８に対して、光学情報読取部６に対応した第２の音声処理を用いて音声を出力させ（ステップＳ２１８）、光学情報読取処理の完了を報知させる。第２の音声処理は、ＲＦＩＤ処理部５に対応する第１の音声処理とは異なる音声処理であり、後に詳細に説明する。
【０１１２】
そして、音声入出力部８が音声を出力した後、光学情報読取部６が停止し（ステップＳ２２０）、次いでＲＦＩＤ処理部５が停止し（ステップＳ２２２）、本実施の形態６にかかる情報端末装置は読取処理を終了する。
【０１１３】
つぎに、第１の音声処理および第２の音声処理について詳細に説明する。図２０は、第１の音声処理を説明するための図であり、図２１は、第２の音声処理を説明するための図である。図２０および図２１におけるｔ1からｔ2の期間は、音声入出力部８が音声を出力し、読取処理の完了を報知させる期間であり、図２０および図２１は音声入出力部８が出力する音声の音量の時間依存を示す。
【０１１４】
まず、第１の音声処理について説明する。第１の音声処理では、制御部９は、図２０に示すように、ｔ1からｔ2の期間、音声入出力部８に対して所定音量Ｂ1で継続して音声を出力させている。このため、音声入出力部８は、ｔ1からｔ2の期間、所定音量Ｂ1の音声を継続して出力する。
【０１１５】
これに対し、第２の音声処理では、制御部９は、図２１に示すように、ｔ1からｔ2の期間、音声入出力部８に対して所定音量Ｂ1で所定期間Ｔａごとに音声を出力させている。このため、音声入出力部８は、ｔ1からｔ2の期間、所定音量Ｂ1の音声をＴａごとに出力している。
【０１１６】
このように、本実施の形態６では、制御部９は、読取処理を完了した読取手段に対応する音声処理によって音声入出力部８に対して音声を出力させている。すなわち、制御部９は、音声入出力部８から出力される音声の出力方法を変化させて読取処理の完了を報知させている。このため、ＲＦＩＤタグまたはＲＦＩＤカードと光学情報記録媒体とが近接していた場合であっても、情報媒体を読み取った読取手段がＲＦＩＤ処理部５と光学情報読取部６とのいずれかであったかを操作者は容易に認識することが可能となり、実施の形態１〜５と同様の効果を奏することが可能となる。
【０１１７】
なお、ｔ1からｔ2の期間において、音声入出力部８に対して、音声を継続して出力させる音声処理を第１の音声処理とし、期間Ｔａごとに音声を出力させる音声処理を第２の音声処理として説明したが、もちろん、音声入出力部８に対して、期間Ｔａごとに音声を出力させる音声処理を第１の音声処理とし、音声を継続して出力させる音声処理を第２の音声処理としてもよい。異なる音声処理を用いて読取処理の完了を示すことによって、操作者はＲＦＩＤ処理部５と光学情報処理部６とのいずれかが読取処理を完了したかを容易に認識することが可能であるためである。
【０１１８】
また、図２０および図２１を用いて説明した音声処理に限らず、第１の音声処理および第２の音声処理として以下の図２２および図２３に示す音声処理を用いてもよい。図２２は、実施の形態６における第１の音声処理の他の例を説明するための図であり、図２３は、実施の形態６における第２の音声処理の他の例を説明するための図である。図２２および図２３におけるｔ1からｔ2の期間は、図２０および図２１と同様に音声入出力部８が音声を出力し、読取処理の完了を報知させる期間であり、図２２および図２３は音声入出力部８が出力する音声の周波数の時間依存を示す。
【０１１９】
図２２に示すように、第１の音声処理の他の例では、制御部９は、ｔ1からｔ2の期間、音声入出力部８に対して、所定周波数の音声、たとえば、ｆ1[Ｈｚ]の音声を出力させている。このため、音声入出力部８は、ｔ1からｔ2の期間、ｆ1[Ｈｚ]の音声を出力する。
【０１２０】
これに対し、第２の音声処理では、図２３に示すように、制御部９は、ｔ1からｔ2の期間、音声入出力部８に対して、ｆ1[Ｈｚ]と異なる周波数である所定周波数の音声、たとえば、ｆ2[Ｈｚ]の音声を出力させている。このため、音声入出力部８は、ｔ1からｔ2の期間、ｆ2[Ｈｚ]の音声を出力している。
【０１２１】
このように、音声入出力部８に対して、読取処理を行なった読取手段に応じて異なる周波数の音声を出力させた場合も、操作者は読取処理を行なった読取手段がいずれであったかを容易に認識することができる。なお、周波数ｆ1と周波数ｆ2は、操作者が差異を認識できる程度に差があればよい。
【０１２２】
また、第１の表示処理および第２の表示処理として、図２４および図２５に示す音声処理を用いてもよい。図２４は、実施の形態６における第１の音声処理の他の例を説明するための図であり、図２５は、実施の形態６における第２の音声処理の他の例を説明するための図である。図２４および図２５におけるｔ1からｔ2の期間は、図２０および図２１と同様に音声入出力部８が音声を出力し、読取処理の完了を報知させる期間であり、図２４および図２５は音声入出力部８が出力する音声の周波数の時間依存を示す。
【０１２３】
図２４に示すように、第１の音声処理の他の例では、制御部９は、ｔ1からｔ2の期間、音声入出力部８に対して、所定周波数の音声、たとえば、ｆ3[Ｈｚ]の音声を継続して出力させている。このため、音声入出力部８は、ｔ1からｔ2の期間、ｆ3[Ｈｚ]の音声を継続して出力する。
【０１２４】
一方、第２の音声処理では、制御部９は、音声入出力部８に対して、周波数を変化させた音声を出力させている。第２の音声処理では、たとえば、図２５に示すように、ｔ1からｔ2の期間、ｆ3[Ｈｚ]からｆ4[Ｈｚ]の間で周波数を変化させた音声を出力させている。このため、音声入出力部８は、ｔ1からｔ2の期間、ｆ3[Ｈｚ]からｆ4[Ｈｚ]の間で周波数が変化する音声を出力している。このような場合も、操作者は読取処理を行なった読取手段がいずれであったかを容易に認識することができる。
【０１２５】
また、本実施の形態６にかかる情報端末装置は、ＲＦＩＤ処理部５と光学情報読取部６とを読取手段として備えた情報端末装置１と同様の構造を有するとして説明したが、これに限らず、ＲＦＩＤ処理部５とＲＦＩＤ処理部６８とを読取手段として備えた情報端末装置１０１と同様の構造を備えてもよい。情報端末装置１０１と同様の構造を備えた情報端末装置に対しても、読取処理を行なった読取手段に対応した音声処理によって音声入出力部８が音声を出力することによって、ＲＦＩＤ処理部５に対応するＲＦＩＤタグまたはＲＦＩＤ処理部６８に対応するＲＦＩＤタグのいずれの情報を読み取ったかを簡易に認識することが可能である。
【０１２６】
また、実施の形態６では、音声入出力部８が情報読取処理または光学情報読取処理の完了を音声出力する場合について説明したが、これに限らず、情報端末装置１が情報書込処理を行なった場合も、同様の処理手順を用いて、音声入出力部８に対して読取手段ごとに対応した音声処理を行い情報書込処理の完了を音声で報知させてもよい。
【０１２７】
また、本実施の形態６において説明した音声処理と、実施の形態１〜５において説明した表示処理とを適時組み合わせて、読取処理の完了を表示部７および音声入出力部８に出力させてもよい。
【０１２８】
また、実施の形態１〜６では、読取手段としてＲＦＩＤ処理部５および光学情報読取部６またはＲＦＩＤ処理部６８を備えた情報端末装置１，１０１について説明したが、ＲＦＩＤ機能に限らず、所定周波数の電波を用いて、情報媒体または他の通信装置と無線通信を行なう無線通信処理部を読取手段として備えた情報端末装置に適用してもよい。
【図面の簡単な説明】
【０１２９】
【図１】実施の形態１にかかる情報端末装置の概略構成を示すブロック図である。
【図２】読取処理の完了を表示するまでの処理手順を示すフローチャートである。
【図３】実施の形態１にかかる情報端末装置の具体的構成を示す分解斜視図である。
【図４】実施の形態１における第１の表示処理を説明する図である。
【図５】実施の形態１における第２の表示処理を説明する図である。
【図６】実施の形態１における第１の表示処理の他の例を説明する図である。
【図７】実施の形態１における第２の表示処理の他の例を説明する図である。
【図８】実施の形態２における第１の表示処理を説明する図である。
【図９】実施の形態２における第２の表示処理を説明する図である。
【図１０】実施の形態３における第１の表示処理を説明する図である。
【図１１】実施の形態３における第２の表示処理を説明する図である。
【図１２】実施の形態３における第１の表示処理の他の例を説明する図である。
【図１３】実施の形態４にかかる情報端末装置の概略構成を示すブロック図である。
【図１４】実施の形態４における表示処理を説明する図である。
【図１５】実施の形態５における第１の表示処理を説明する図である。
【図１６】実施の形態５における第２の表示処理を説明する図である。
【図１７】実施の形態５における第１の表示処理の他の例を説明する図である。
【図１８】実施の形態５における第２の表示処理の他の例を説明する図である。
【図１９】実施の形態６にかかる情報端末装置が読取処理の完了を音声出力するまでの処理手順を示すフローチャートである。
【図２０】実施の形態６における第１の音声処理を説明する図である。
【図２１】実施の形態６における第２の音声処理を説明する図である。
【図２２】実施の形態６における第１の音声処理の他の例を説明する図である。
【図２３】実施の形態６における第２の音声処理の他の例を説明する図である。
【図２４】実施の形態６における第１の音声処理の他の例を説明する図である。
【図２５】実施の形態６における第２の音声処理の他の例を説明する図である。
【符号の説明】
【０１３０】
１、１０１  情報端末装置
２  入力部
３  外部通信部
４  ストレージデバイス
４ａ  メディア
５、６８  ＲＦＩＤ処理部
５ａ、６８ａ  アンテナ
６  光学情報読取部
７  表示部
８  音声入出力部
９  制御部
１０  記憶部
１１  上部ハウジング
１２  下部ハウジング
１３  ガスケット部材
１４  穴部
１５  開口部
１６  バッテリ収容部
１７  バッテリ
１８  蓋部
２１  ボタン
２２  操作スイッチ
２４  制御スイッチ
２５  入力スイッチ
５１  ループアンテナ
６１  撮像窓
６２  撮像ユニット
６３  光学系
６４  ＣＣＤ回路
６５  画像処理回路
６６  照明窓
６７  照明ユニット
７１  表示窓
７２  液晶モジュール
７３  ＬＥＤ用窓
７４  ＬＥＤ
７５  ＬＥＤ点灯領域
７５ａ  赤色光
７５ｂ  緑色光
７６  表示領域
７８ａ  ＲＦＩＤ読取表示
７８ｂ  光学情報読取表示
９１  回路基板
５９１，６９１  ＲＦＩＤカード
【図１】
2005215748.tif 000003
【図２】
2005215748.tif 000004
【図３】
2005215748.tif 000005
【図４】
2005215748.tif 000006
【図５】
2005215748.tif 000007
【図６】
2005215748.tif 000008
【図７】
2005215748.tif 000009
【図８】
2005215748.tif 000010
【図９】
2005215748.tif 000011
【図１０】
2005215748.tif 000012
【図１１】
2005215748.tif 000013
【図１２】
2005215748.tif 000014
【図１３】
2005215748.tif 000015
【図１４】
2005215748.tif 000016
【図１５】
2005215748.tif 000017
【図１６】
2005215748.tif 000018
【図１７】
2005215748.tif 000019
【図１８】
2005215748.tif 000020
【図１９】
2005215748.tif 000021
【図２０】
2005215748.tif 000022
【図２１】
2005215748.tif 000023
【図２２】
2005215748.tif 000024
【図２３】
2005215748.tif 000025
【図２４】
2005215748.tif 000026
【図２５】
2005215748.tif 000027